(57)【要約】【課題】盤間外線ケーブルの情報を一元管理し、端子台への盤間外線ケーブルの割り付けを統一した盤間外線ケーブルの設計手法を得る。【解決手段】対象盤入力情報に基づいて、展開接続図から外線ケーブルの情報を抽出し、対象盤ケーブルデータに格納するケーブル情報抽出工程と、対象盤ケーブルデータに基づき、対象盤間の盤間ケーブルデータを生成する盤間ケーブル突合工程と、展開接続図の外形図・盤内配置図から、対象盤入力情報に基づいて、端子台情報を抽出し、端子台データを生成する端子台情報抽出工程と、盤間ケーブルデータと端子台データを、端子台割付定義に基づき、盤間ケーブルデータに端子台の型式や端子台番号などを割付け、端子台割付済盤間ケーブルデータを生成する盤間ケーブル割付工程と、端子台割付済盤間ケーブルデータを作画定義に基づき、工事図を自動的に作画する工事図作画工程とを有する。【選択図】図２
2008129848.tif 000002
【特許請求の範囲】
【請求項１】
複数の展開接続図による盤間外線ケーブルを必要とする盤間外線ケーブルの設計手法において、
対象盤入力で入力した情報に基づいて、ケーブルデータ抽出処理で展開接続図から外線ケーブルの情報を抽出し、対象盤ケーブルデータに格納するケーブル情報抽出工程と、
前記対象盤ケーブルデータに基づき、盤間ケーブル突合処理で対象盤間の盤間ケーブルデータを生成する盤間ケーブル突合工程と、
前記展開接続図の電気機器の配置を示す外形図・盤内配置図から、対象盤入力で入力した情報に基づいて、端子台データ抽出処理で端子台の実装数や型式などの情報を抽出し、端子台データを生成する端子台情報抽出工程と、
前記盤間ケーブルデータと前記端子台データを、端子台割付定義に基づき、盤間ケーブル端子台割付処理で盤間ケーブルデータに端子台の型式や端子台番号などを割付け、端子台割付済盤間ケーブルデータを生成する盤間ケーブル割付工程と、
前記端子台割付済盤間ケーブルデータを、作画定義に基づき、工事図作画処理で工事図を自動的に作画する工事図作画工程と、
を有することを特徴とする盤間外線ケーブルの設計手法。
【請求項２】
盤間ケーブル突合工程の後に、盤間ケーブルデータを、電圧区分並替定義に基づき、電圧区分並替処理で、回路電圧順に並び替えを行い、電圧区分順番間ケーブルデータを生成する電圧区分並替工程を更に有することを特徴とする請求項１記載の盤間外線ケーブルの設計手法。
【請求項３】
盤間ケーブル突合工程の後に、盤間ケーブルデータを、ケーブルサイズ並替定義に基づき、ケーブルサイズ並替処理で、ケーブルサイズ順に並び替えを行い、ケーブルサイズ順盤間ケーブルデータを生成するケーブルサイズ並替工程を更に有することを特徴とする請求項１記載の盤間外線ケーブルの設計手法。
【請求項４】
盤間ケーブル突合工程の後に、盤間ケーブルデータを、インターフェース盤単位並替処理で、外線ケーブルがインターフェースする盤毎に端子台に連続割付されるように並替を行い、盤単位盤間ケーブルデータを生成するインターフェース盤単位並替工程を更に有することを特徴とする請求項１記載の盤間外線ケーブルの設計手法。
【発明の詳細な説明】
【技術分野】
【０００１】
本発明は、複数の展開接続図による盤間外線ケーブルを必要とする設計において、盤間を接続する外線ケーブルを端子台に割り付ける盤間外線ケーブルの設計手法に関するものである。
【背景技術】
【０００２】
従来の盤間外線ケーブル設計手法の一例を図９に示す。図９において、制御盤、配電盤等の各盤Ａ、盤Ｂは、それぞれの展開接続図１１、外形図盤内配置図１２に基づいて、盤間ケーブル端子台割付作業を経て工事図１３を得る。そして、各盤Ａ、盤Ｂの各工事図１３を突き合せる盤間ケーブル突合作業を行っている。
また、外部とインターフェースする信号線について回路図設計工程で、端子台に信号を割り付けた後、配線図設計工程で盤内の機器間の配線図データを作成している（例えば、特許文献１参照）。
【０００３】
【特許文献１】特開平１０−１４３５４９号公報
【発明の開示】
【発明が解決しようとする課題】
【０００４】
従来、複数の展開接続図による盤間外線ケーブルの設計手法では、盤間を接続する外線ケーブルは展開接続図毎に手作業で端子台に割付しているため、相互にインターフェースする外線ケーブル情報を束ね、各盤の端子台への割付順を同じにする必要がある。また、外線ケーブルの多芯化が出来ず、多種多様の外線ケーブルが必要になるなどの問題もあった。
【０００５】
この発明は上記のような問題を解決するためのなされたもので、盤間外線ケーブルの情報を一元管理し、端子台への盤間外線ケーブルの割り付けを統一した盤間外線ケーブルの設計手法を提供することを目的とする。
【課題を解決するための手段】
【０００６】
この発明に係わる盤間外線ケーブルの設計手法は、対象盤入力で入力した情報に基づいて、ケーブルデータ抽出処理で展開接続図から外線ケーブルの情報を抽出し、対象盤ケーブルデータに格納するケーブル情報抽出工程と、対象盤ケーブルデータに基づき、盤間ケーブル突合処理で対象盤間の盤間ケーブルデータを生成する盤間ケーブル突合工程と、展開接続図の電気機器の配置を示す外形図・盤内配置図から、対象盤入力で入力した情報に基づいて、端子台データ抽出処理で端子台の実装数や型式などの情報を抽出し、端子台データを生成する端子台情報抽出工程と、盤間ケーブルデータと端子台データを、端子台割付定義に基づき、盤間ケーブル端子台割付処理で盤間ケーブルデータに端子台の型式や端子台番号などを割付け、端子台割付済盤間ケーブルデータを生成する盤間ケーブル割付工程と、端子台割付済盤間ケーブルデータを、作画定義に基づき、工事図作画処理で工事図を自動的に作画する工事図作画工程とを有するものである。
【発明の効果】
【０００７】
この発明によれば、盤間外線ケーブルの情報を複数の展開接続図から抽出し一元管理するように構成したので、各盤の端子台の割付順が統一することができる。
また、盤間外線ケーブルデータの突合手段を設けて、盤間相互の接続を確認しているので、精度の高い盤間外線ケーブルデータを得ることができる。
【発明を実施するための最良の形態】
【０００８】
実施の形態１．
以下、この発明の実施の形態１における盤間外線ケーブルの設計手法を図１、図２に基づいて説明する。
図１はこの発明の対象となる制御盤、配電盤等の盤構成の概要を示すものであり、図中、１は制御盤、配電盤等の盤であり、それぞれ電気機器２と端子台３を備えている。各盤間においては、各端子台３間を複数の盤間外線ケーブル４を用いて接続している。１１は各盤１毎の展開接続図である。
また、図２はこの発明の実施の形態１による盤間外線ケーブルの設計手法の基本構成を示すブロック図である。
図２において、ステップＳ２０はケーブル情報抽出工程で、盤間外線ケーブルの設計対象となる盤を、対象盤入力２１を用いて入力する。この対象盤のデータに基づいて複数の展開接続図１１から端子属性等の情報をケーブルデータ抽出工程２２で読み込み、対象盤ケーブルデータ２３として格納する。ステップＳ３０は端子台情報抽出工程で、盤間外線ケーブルの設計対象となる盤を、対象盤入力３１を用いて入力する。この対象盤のデータに基づいて、展開接続図１１で図示された機器の大きさや実装位置を示す外形図・盤内配置図１２より、端子台型式や実装数などの情報を端子台データ抽出処理３２で読み込み、端子台データ３３として格納する。ステップＳ４０は盤間ケーブル突合工程で、盤間ケーブル突合処理４１で対象盤ケーブルデータ２３を、外線ケーブル番号に基づき、盤間相互の接続データになるよう突合を行い、盤間ケーブルデータ４２として格納する。次に、ステップＳ８０は盤間ケーブル割付工程である。この盤間ケーブル割付工程では、盤間ケーブルデータ４２と、端子台データ３３を、端子台割付定義８１に基づいて盤間ケーブルデール端子台割付処理８２より、盤間ケーブルデータ４２に端子台と端子番号を割り付けし、端子台割付済盤間ケーブルデータ８３として格納する。ステップＳ９０は工事図作画工程である。この工事図作画工程では、端子台割付済盤間ケーブルデータ８３を、工事図１３（端子台と端子台間の接続指示図）を作画するための情報を定義した作画定義９１に基づき、工事図作画処理９２により工事図１３が生成される。
【０００９】
次にステップＳ２０のケーブル情報抽出工程を図３に基づいて詳細に説明する。
図３にて盤間外線ケーブル設計の対象となる単一盤または複数の盤を、対象盤入力２１を用いて入力する。ここで入力された対象盤の数だけ、対象盤ループ（ステップＳ２０２）を繰り返し処理を行う。次に展開接続図ループ（ステップＳ２０３）は、展開接続図情報読込（ステップＳ２０４）を、展開接続図１１で図示される機器の属性等の情報数だけ繰り返し処理を行う。読み込んだ展開接続図の情報が外線ケーブルを接続する端子属性で、かつ対象盤入力２１で入力した情報と一致するかステップＳ２０５で比較を行う。この条件が成立した場合、線番号読込ループ（ステップＳ２０６）に制御は移行する。この線番号読込ループ（Ｓ２０６）は、外線側と内線側の線番号を読み込むため２回繰り返し処理を行う。線番号、属性読込（ステップＳ２０７）は、端子属性に接続されている線番号と線番号属性等を読み込む。次に線番号の属性が、対象盤入力２１で入力した情報と一致するかステップＳ２０８で比較を行う。この条件が成立した場合、線番号はステップＳ２０９で、対象盤入力２１で入力した盤の盤内線番号とし、不成立の場合は、線番号はステップＳ２１０でケーブル番号とする。次に盤内線番号とケーブル番号が同じ値のため、展開接続図１１に記載されていないような場合がある。その際、ケーブル番号が空欄にならないように、ステップＳ２１１でケーブル番号が無記入か比較を行う。無記入の場合は、ステップＳ２１２でケーブル番号に盤内線番号を代入し、対象盤ケーブルデータ２３として格納することで、端子台に接続されている盤内線番号、ケーブル番号などの情報を得ることが出来る。
【００１０】
次にステップＳ４０の盤間ケーブル突合工程を図４に基づいて詳細に説明する。
ステップＳ４０１は対象盤ケーブルデータ２３を順次読み込むための変数ｉを初期化する。ループｉ（ステップＳ４０２）は、変数ｉを初期値とし、対象盤ケーブルデータ２３から変数ｉが示す行のデータを読み込み、対象盤ケーブルデータ２３のデータ件数から１を引いた数だけ繰り返し処理する。次にステップＳ４０３で突合フラグをfalseで初期化する。ステップＳ４０４は変数ｉを示す値に１を足し変数ｊを初期化する。ループｊ（ステップＳ４０５）は、対象盤ケーブルデータ２３から変数ｊが示す行のデータを読み込み、対象盤ケーブルデータ２３の最終行のデータを読み込むまで繰り返し処理する。変数ｉと変数ｊで読み込んだ対象盤ケーブルデータ２３のケーブル番号が一致するかステップＳ４０６で比較を行う。この条件が成立した場合、変数ｉと変数ｊの対象盤ケーブルデータは、ケーブル番号が同じであり相互にインターフェースしている盤間外線ケーブルを意味し、制御はステップＳ４０７に移行し結合フラグにtrueを代入し、ループｊ（ステップＳ４０５）を抜ける。次に結合フラグがtrueになっているかステップＳ４０８で比較し、条件が成立している場合、ステップＳ４０９で変数ｉと変数ｊの対象盤ケーブルデータを結合し、盤間ケーブルデータ４２として格納する。また、前記ステップＳ４０８で条件が不成立となった場合は、対象盤のケーブル番号が相互に呼び合っていないことになる。これは展開接続図１１を作成する際、間違ったケーブル番号を入力しているためで、変数ｉの対象盤ケーブルデータ２３を、突合異常ケーブルデータ（ステップＳ４１０）に格納する。このデータを確認することにより、展開接続図１１の間違いが容易に特定することが出来るため、結果、精度の高い盤間外線ケーブルデータを得ることができる。最後にステップＳ４１１で、盤間ケーブルデータ４２をケーブル番号で並べ替えを行う。
【００１１】
実施の形態２．
図５はこの発明の実施の形態２による盤間外線ケーブルの設計手法の基本構成を示すブロック図である。
なお、前記実施の形態１では、盤間ケーブル突合工程（ステップＳ４０）で、外線ケーブル番号順のデータが盤間ケーブルデータ４２に格納されることを述べたが、この実施の形態２は、ケーブル情報抽出工程（ステップＳ２０）において回路電圧の情報も一緒に抽出し、図５に示すように、盤間ケーブル突合工程（ステップＳ４０）の後工程に、電圧区分並替工程（ステップＳ５０）を追加し、盤間ケーブルデータ４２を電圧区分並替定義５１に基づき、電圧区分並替処理５２で、回路電圧毎に並び替えを行い、電圧区分順盤間ケーブルデータ５３に格納する。これにより外線ケーブルを回路電圧別に敷設することができるようにしたものである。
【００１２】
実施の形態３．
図６はこの発明の実施の形態３による盤間外線ケーブルの設計手法の基本構成を示すブロック図である。
なお、前記実施の形態１では、盤間ケーブル突合工程（ステップＳ４０）で、外線ケーブル番号順のデータが盤間ケーブルデータ４２に格納されることを述べたが、この実施の形態３は、ケーブル情報抽出工程（ステップＳ２０）においてケーブルサイズの情報も一緒に抽出し、図６に示すように、盤間ケーブル突合工程（ステップＳ４０）の後工程に、ケーブルサイズ並替工程（ステップＳ６０）を追加し、盤間ケーブルデータ４２をケーブルサイズ並替定義６１に基づき、ケーブルサイズ並替処理６２で、ケーブルサイズ順に並び替えを行いケーブルサイズ順盤間ケーブルデータ６３に格納する。これにより必要な外線ケーブルのサイズと本数が容易に収集することができるようにしたものである。
【００１３】
実施の形態４．
図７はこの発明の実施の形態４による盤間外線ケーブルの設計手法の基本構成を示すブロック図である。
なお、前記実施の形態１では、盤間ケーブル突合工程（ステップＳ４０）で、外線ケーブル番号順のデータが盤間ケーブルデータ４２に格納されることを述べたが、この実施の形態４は、図７に示すように、盤間ケーブル突合工程（ステップＳ４０）の後工程に、インターフェース盤単位並替工程（ステップＳ７０）を追加し、盤間ケーブルデータ４２をインターフェース盤単位並替処理７１で、相互にインターフェースする外線ケーブルの情報を束ね、盤単位盤間ケーブルデータ７２に格納する。これにより外線ケーブルを多芯化することが出来る。
【００１４】
次に、ステップＳ７０のインターフェース盤単位並替工程を図８に基づいて詳細に説明する。ステップＳ７０１は盤間ケーブルデータ４２を順次読み込むための変数ｋを初期化する。対象盤ループｉ（ステップＳ７０２）は、対象盤入力２１で入力されている対象盤を順次、変数対象盤ｉに格納し、対象盤ｉが最後の対象盤の一つ手前を示すまで繰り返し処理を行う。ステップＳ７０３は対象盤ループｉ（ステップＳ７０２）で示す対象盤の次の対象盤を変数対象盤ｊに格納する。対象盤ループｊ（ステップＳ７０４）は、対象盤ｊで示す対象盤を初期値とし、対象盤ｊが最後の対象盤を示すまで繰り返し処理を行う。ステップＳ７０５は盤間ケーブルデータ４２を読み込むための変数ｋを変数ｍに格納する。
次にループｍ（ステップＳ７０６）は、変数ｍを初期値とし、変数ｍが示す位置を盤間ケーブルデータ４２から読み込み、盤間ケーブルデータ４２の最終行のデーター１を読み込むまで繰り返し処理を行う。変数ｍが示す位置の盤間ケーブルデータの対象盤が変数対象盤ｉと一致、かつ変数ｍが示す位置の盤間ケーブルデータの対象盤が変数対象盤ｊと一致するかステップＳ７０７で比較を行う。
ステップＳ７０７の条件が成立した場合、変数ｍが示す位置の盤間ケーブルデータは、インターフェース盤単位に並び替えが済んでいるデータを意味し、制御はステップＳ７１２に移行し変数ｍに１を足した値を盤間ケーブルデータ４２を順次読み込むための変数ｋに格納する。
ステップＳ７０７の条件が不成立の場合、制御はステップＳ７０８に移行し変数ｍに１を足した値を変数ｎに格納する。次にループｎ（ステップＳ７０９）は、変数ｎを初期値とし、変数ｎが示す位置を盤間ケーブルデータ４２から読み込み、盤間ケーブルデータ４２の最終行のデータを読み込むまで繰り返し処理を行う。変数ｎが示す位置の盤間ケーブルデータの対象盤が変数対象盤ｉと一致、かつ変数ｎが示す位置の盤間ケーブルデータの対象盤が変数対象盤ｊと一致するかステップＳ７０７で比較を行う。この条件が成立した場合、変数ｎが示す位置の盤間ケーブルデータは、インターフェース盤単位に並び替えが必要なデータを意味し、制御はステップＳ７１１に移行する。ステップＳ７１１は盤間ケーブルデータ４２を変数ｍと変数ｎが示す位置のデータを入れ替えを行う。
これまでの処理で盤間ケーブルデータ４２はインターフェース盤単位に並び替えられ、盤単位盤間ケーブルデータ７２として格納する。
【図面の簡単な説明】
【００１５】
【図１】この発明の対象となる制御盤、配電盤等の盤構成の概要を示す概略構成図である。
【図２】この発明の実施の形態１による盤間外線ケーブルの設計手法の基本構成を示すブロック図である。
【図３】この発明の実施の形態１による盤間外線ケーブルの設計手法のケーブル情報抽出工程を示すフローチャートである。
【図４】この発明の実施の形態１による盤間外線ケーブルの設計手法の盤間ケーブル突合工程を示すフローチャートである。
【図５】この発明の実施の形態２による盤間外線ケーブルの設計手法の基本構成を示すブロック図である。
【図６】この発明の実施の形態３による盤間外線ケーブルの設計手法の基本構成を示すブロック図である。
【図７】この発明の実施の形態４による盤間外線ケーブルの設計手法の基本構成を示すブロック図である。
【図８】この発明の実施の形態４による盤間外線ケーブルの設計手法のインターフェース盤単位並替処理を示すフローチャートである。
【図９】従来の盤間外線ケーブルの設計手法の基本構成を示すブロック図である。
【符号の説明】
【００１６】
１１    展開接続図
１２    外形図・盤内配置図
１３    工事図
Ｓ２０  ケーブル情報抽出工程
Ｓ３０  端子台情報抽出工程
Ｓ４０  盤間ケーブル突合工程
Ｓ５０  電圧区分並替工程
Ｓ６０  ケーブルサイズ並替工程
Ｓ７０  インターフェース盤単位並替工程
Ｓ８０  盤間ケーブル割付工程
Ｓ９０  工事図作画工程
【図１】
2008129848.tif 000003
【図２】
2008129848.tif 000004
【図３】
2008129848.tif 000005
【図４】
2008129848.tif 000006
【図５】
2008129848.tif 000007
【図６】
2008129848.tif 000008
【図７】
2008129848.tif 000009
【図８】
2008129848.tif 000010
【図９】
2008129848.tif 000011